(57)【要約】      （修正有）【課題】表示部の透明性を損なわれることなく耐水構造にして物品に確実に固定でき、かつ物品の寸法に対応でき、表示効果を確実にした構造の表示具を提供する。【解決手段】表示カードが明示できて取替え可能に収容できる表示具本体とその背面側で展示物品に装着保持する固定支持部材３０とで構成され、表示具本体は方形の正面部の背面側へ折畳まれる閉じ片１３が一枚の透視可能な樹脂シートで形成され、閉じ片の相対向する二片が適宜幅の横閉じ片で、他の対向する二片は一方が閉じ受け片１４で他方が被せ片１５とし、被せ片と閉じ受け片とをファスナー１６で固定できるように形成され、被せ片の中央部に透かし孔１７が形成してあり、この表示具本体内に表示カードを台紙で保持して正面部の補強板２０とともに収められ、固定支持部材を差込み孔２１に通して補強板と繋ぎ透かし孔から背面側に突き出させて展示物品に保持させるようにした。【選択図】図３
0003191502.tif 000002
【実用新案登録請求の範囲】
【請求項１】
表示カードが明示できるように保持されて取替え可能に収容できる表示具本体と、この表示具本体を背面側で展示物品に装着保持する固定支持部材とでなり、
前記表示具本体は、所定寸法で方形の正面部の四辺に背面側へ折り畳まれる閉じ片が連接された一枚の透明もしくは透視可能な樹脂シートで形成されており、前記閉じ片のうち相対向する二片が補助閉じ片で、他の対向する二片は一方が閉じ受け片にして他方が被せ片とし、前記被せ片と閉じ受け片とをファスナーで閉じ合わせ固定できるように形成され、かつ前記被せ片の中央部には方形の透かし孔が形成してあり、この表示具本体内に表示カードを保持する台紙および前記正面部の補強板とが収まるようにされており、
前記固定支持部材は前記表示具本体に収容した補強板と繋いで前記被せ片に設けた透かし孔から背面側に突き出させて展示物品に保持させるようにしたことを特徴とする表示具。
【請求項２】
前記固定支持部材は、所定長さのバンドであって、基端部にバンド差し込み切孔と表面に突き出す係止鋲とでなる係止部を備え、他端から中間部の間に所定のピッチで複数の前記係止鋲が係合できる止め孔を設けたものであり、このバンドの中間部を前記表示具本体の前記補強板の中央部にて所定間隔で対称に設けた差込み孔に挿通して表示具本体と連結し、前記被せ片に設けた透かし孔を通じて外側に引き出して展示物品に巻き付け、前記係止部にバンドの他端部を挿通して係止鋲と締め付け対応位置の止め孔とを係合することで対象展示物に巻き付けて固定するものである請求項１に記載の表示具。
【請求項３】
前記固定支持部材は、所定長さのバンドであって、基端部にバンド差し込み切孔と表面に突き出す係止鋲とでなる係止部を備え、他端から中間部の間に所定のピッチで複数の前記係止鋲が係合できる止め孔を設けたものであり、このバンドの中間部を前記表示具本体の前記補強板の中央部にて所定間隔で対称に設けた差込み孔に挿通して表示具本体と連結し、前記被せ片に設けた透かし孔を通じて外側に引き出して展示物品に巻き付け、前記係止部にバンドの他端部を挿通して係止鋲と締め付け対応位置の止め孔とを係合することで対象展示物に巻き付けて固定するものである請求項１に記載の表示具。
【考案の詳細な説明】
【技術分野】
【０００１】  本考案は、自動車用タイヤのように嵩高く重量の重たい物品の展示販売を行う際の品種や価格などを表示するのに適した表示具に関するものである。
【背景技術】
【０００２】  従来、店頭で物品を展示販売するに際し、その物品の名称や寸法・販売価格などの情報を表示するのに種々の表示方法が採用されている。その多くは展示している物品の近傍に表示カードなどを特別な支持具にて支持させて配置し、あるいは物品を並べた棚の縁にホルダーを設けて所要の事項を記載したカードを嵌め込んで、表示するなどの手段を講じている。【０００３】  前述のような展示品に対する情報の表示方法は、比較的小型形状の物品を対象としている場合が多い。ところで、自動車用のタイヤのように全体的に大型で重量物である場合、その多くは梱包されずにそのまま使用に供される形状で店頭に展示して販売に供されている。そして、物品の表面がゴム質のものである関係で、この物品に直接カードなどの表示物を貼り付けることはカードを取り外した後に粘着剤が残留して商品を汚すことになることから、展示物に関する事項の表示については適切な手段が見いだせない。【０００４】  このようなことから、一般的に前記自動車用のタイヤを展示販売する場合、前面を開放した商品支持棚上に物品（タイヤ）を複数積み重ねて（平積みといわれている）展示しており、物品に関する品種や寸法、価格などを表示する表示具は、主に支持棚など物品を支持するフレームを利用してＰＯＰカードを取付ける、あるいは支持棚の横桟などにＰＯＰカードの一部を貼着して吊下げるなどの方法が採用されている。このＰＯＰカードなどは、表示内容を鮮明に表すために大きな寸法の表示板が必要になる。そして前記ＰＯＰカードは支持棚のフレームに貼り付けるなどしているので、物品を支持棚上から取り出すのに邪魔になるなどの問題点がある。【０００５】  また、販売物品（自動車用のタイヤ）は、市場の要望に応じて対象となる自動車が新しい車両の販売によって物品の形状寸法に変化が生じ、販売促進などの理由によって物品に変更が生じると、必然的に展示物品が新しいものに置き換わることになる。その結果、対象物品に応じた内容を表示したＰＯＰカードに変更することになり、比較的短い期間で新しい仕様を記載したカードと差し替える必要になって交換することが容易であることも販売戦略上要件となる。このようなことから、取扱い便利にして表示効果を高め得る表示具が要望されている。【０００６】  また、このような問題点を解決しようとする試みが、例えばタイヤの内径縁部分に適合させる掛けとめ片を一対備えて、タイヤの寸法に応じて緊張できる部材にてＰＯＰ部材（吊下げ表示板）を吊下げて表示させるもの。あるいは表示板の吊下げ具をタイヤの内部で伸縮可能な緊張部材に支持させてタイヤの外側に張り出すようにしたもの。さらにはタイヤの外側面を挟み付けて表示板の吊下げ具をタイヤの外側に突き出し支持するようにしたもの、などの表示器が前記特許文献１によって知られている。【０００７】  しかしながら、前記特許文献１によって知られる表示器は、物品の寸法や特性あるいは価格などを表示する表示板を吊下げ表示できて物品（タイヤ）に取り付けるのに、その物品の一部を挟んだり、突っ張り棒のような緊張部材など保持体が不安定な構造であるから、物品を屋外で展示販売する場合、風による外力が表示板に作用すると不安定になり外れる恐れがある。また、外観的にも美的効果の乏しいものであるなどの問題点がある。
【先行技術文献】
【特許文献】
【０００８】
【特許文献１】  特開２０００−１９０６７４号公報
【考案の開示】
【考案が解決しようとする課題】
【０００９】  本考案は、前述のような問題点を解消するためになされたもので、表示部が表示面の透明性を損なわれることなく耐水構造にして物品に確実に固定でき、かつ物品の寸法に対応でき、表示効果を確実にした構造の表示具を提供することを目的とするものである。
【課題を解決するための手段】
【００１０】  前記目的を達成するために、本考案による表示具は、
表示カードが明示できるように保持されて取替え可能に収容できる表示具本体と、この表示具本体を背面側で展示物品に装着保持する固定支持部材とでなり、
前記表示具本体は、所定寸法で方形の正面部の四辺に背面側へ折り畳まれる閉じ片が連接された一枚の透明もしくは透視可能な樹脂シートで形成されており、前記閉じ片のうち相対向する二片が補助閉じ片で、他の対向する二片は一方が閉じ受け片にして他方が被せ片とし、前記被せ片と閉じ受け片とをファスナーで閉じ合わせ固定できるように形成され、かつ前記被せ片の中央部には方形の透かし孔が形成してあり、この表示具本体内に表示カードを保持する台紙および前記正面部の補強板とが収まるようにされており、
前記固定支持部材は前記表示具本体に収容した補強板と繋いで前記被せ片に設けた透かし孔から背面側に突き出させて展示物品に保持させるようにしたことを特徴とするものである。【００１１】  前記考案において、前記固定支持部材は、所定長さのバンドであって、基端部にバンド差し込み切孔と表面に突き出す係止鋲とでなる係止部を備え、他端から中間部の間に所定のピッチで複数の前記係止鋲が係合できる止め孔を設けたものであり、このバンドの中間部を前記表示具本体の前記補強板の中央部にて所定間隔で対称に設けた差込み孔に挿通して表示具本体と連結し、前記被せ片に設けた透かし孔を通じて外側に引き出して展示物品に巻き付け、前記係止部にバンドの他端部を挿通して係止鋲と締め付け対応位置の止め孔とを係合することで対象展示物に巻き付けて固定するものであるのがよい。【００１２】  また、前記固定支持部材におけるバンドの係止部は、基端部におけるバンド差込み切孔から所定寸法離れた位置に第１の係止鋲が設けられ、さらにその第１の係止鋲から離れた位置に第２の係止鋲が設けてあり、この第１と第２の係止鋲の間隔がバンドの他端部から中間部に設けられる前記止め孔の２．５ピッチとされているのがよい。【００１３】  また、前記固定支持部材としては、プラスチックもしくは織物製のベルト（バンド）で一端に掛け止め具を備えたものにして、前記表示具本体の補強板の中央部にて所定間隔で対称に設けた差込み孔に挿通して連結し、前記ベルトを展示物に巻き付けて掛け止め具にベルト中間部を係合させて引き締めて固定するものであるのがよい。【００１４】  また、本考案では、前記表示具本体における補強板の中央部に一辺を折目線で連結して他の三辺を切線にて切り離した固定支持部片を設け、この固定支持部片の前記折目線個所で折り曲げて固定支持部片を背後側に突き出させるようにすることで、積み重ねた展示物品の重ね部分に差し込んで表示具本体を展示物品に装着できる構成とするのがよい。
【考案の効果】
【００１５】  本考案によれば、展示する物品に対して固定支持部材を簡単に巻き付け固定もしくは差し込むことによって直接的に固定支持させて表示することができ、外包体を閉じ合わせると表示シートが包み込まれて外部から埃の侵入や雨水による濡れを防止できるので、屋外での展示に際して表示を損なわれず長期間の使用ができる。そして、物品の品種や価格などを表示するシートの差し替えも表示具本体を構成する外包体を開くことで内部に出し入れすることが簡単に行うことができるなど、簡単な構成で便利に使用することができるという利点がある。しかも、表示具本体の寸法を許容の範囲で大きくすれば、表示内容も大きくあるいは多くの事項を記載表示できて表示効果を高めることができる。
【図面の簡単な説明】
【００１６】
【図１】図１は本考案の表示具を展示タイヤに装着した一形態を表す図（ａ）とＡ−Ａ視拡大断面図（ｂ）である。
【図２】図２は本考案に係る表示具の一実施形態の一部を切欠いて表わす全体斜視図である。
【図３】図３は表示具本体の背面側から見た図である。
【図４】図４は表示具本体の外包体を展開して示す図である。
【図５】図５は固定用バンドを表す図である。
【図６】図６は固定用バンドの他の実施形態を示す図であって、一部を省略した使用前の全体図（ａ）と、締結操作時の要部態様図（ｂ）および締結後の要部態様図（ｃ）である。
【図７】図７は本考案の他の実施形態の要部を表す図である。
【図８】図８は他の実施形態の表示具の使用形態を表す図である。
【考案を実施するための最良の形態】
【００１７】  次に、本考案による表示具の具体的な一実施の形態について、図面を参照しつつ説明する。【００１８】  この実施形態の表示具１は、自動車用タイヤＡを立て起こして展示販売する場合に適応させるものであり、展示に際してタイヤＡの寸法など品種と価格などを表示するのに用いるもので、表示用のカードを収容して保持するための表示具本体１０と、この表示具本体１０をタイヤＡ（物品）に直接巻き付けて保持させるためのバンド型の固定支持部材３０とで構成されている。【００１９】  まず、表示具本体１０は、図４にて展開図示されるように、外包体１１が、所定寸法の長方形に設定された正面部１２の周辺に、左右両側には内折り線ａ，ｂを介して閉じ片１３，１３（本考案の補助閉じ片に対応する）が対称に、下側には内折り線ｃを介して閉じ受け片１４が、さらに上側には内折り線ｄを介して被せ片１５が、それぞれ連接されて一‘枚の透明もしくは半透明状のプラスチックシートで形成されている。そして、その外包体１１の閉じ受け片１４は、内折り線ｃに沿って折り曲げた状態で上向き面の二か所に所定の寸法離して表面側に多数のループが付されている面ファスナーによるボタン状の受け部片１６（が貼着されている。【００２０】  一方、被せ片１５には内折り線ｄに沿って折り曲げた状態で前記閉じ受け片１４に付設の受け部片１６に対応する位置で二か所に面ファスナーの多数の鉤片が設けられた掛け止め部片１６′（受け部片と合わせて以下、面ファスナー１６という）が内面に付設されている。そして、この外包体１１の被せ片１５には、正面部１２における中央部位置と対向する箇所に適宜寸法（好ましくは正面部と相似形）で長方形の透かし孔１７が設けられている。【００２１】  このように形成される外包体１１は、前記正面部１２の外形寸法よりやや小さい寸法で長方形に形成された剛性の高いやや厚板にてなるプラスチックの補強板２０を包み込むように収容して、前記閉じ受け片１４と被せ片１５とを重ね合わせると両者に付設の面ファスナ１６によって固定されるようになっている。【００２２】  前記外包体１１の被せ片１５には、前記補強板２０を収容した状態でその補強板２０の中央部に対応する箇所で当該補強板２０と相似形状の透かし孔１７が設けられている。【００２３】  そして、前記補強板２０には、その中央部において前記外包体１１の被せ片１５に設けられた透かし孔１７の内側になるエリアに所定の間隔で相対向して前記バンド型の固定支持部材３０（以下、単に「固定用バンド３０」という）が挿通し得る寸法の差込み孔（切孔）２１，２１が中心点を基準にして左右対称に設けてある。なお、この実施形態では前記両差込み孔２１を結ぶ線に対して直交する線上で所要の間隔にて相対向して差込み孔２１ａ，２１ａが設けてある。こうすることで、表示具本体１０に対し固定用バンド３０が縦方向又は横方向に連結することができる。【００２４】  次に、前記固定用バンド３０は、図５で示されるように、所定の寸法（例えば、幅寸法が２５ｍｍ、で全長が８００ｍｍ）にしてその基部３１を所要区間で帯部３２よりも広幅（例えば４５ｍｍ）にし、その基部１には帯部３２が挿通し得る幅の差込み切孔３３が軸方向に直交して設け��とともに、その差込み切孔３３から適宜寸法離れた中心軸線上位置に２か所で係止鋲３４，３４ａが表面から上向きにして取付けられている。また、前記帯部３２の中間には、中心軸線上で所定のピッチで多数の止め孔３５が設けてある。【００２５】  前記固定用バンド３０の基部３１に設けられた係止鋲３４，３４ａのピッチは前記止め孔３５のピッチの２．５ピッチとなるようにされている。こうすることで、この固定用バンド３０をタイヤＡの内周方向から外周方向に巻き付けて係止鋲３４，３４ａと止め孔３５との係合で固定する際に、両方の係止鋲３４，３４ａのいずれか一方を止め孔３５に係合させるようにして、実質的の止め孔３５の１／２ピッチずらせて巻き付け固定することができる。【００２６】  このように構成されたこの実施形態の表示具１を使用するには、まず前記表示具本体１０の外包体１１内部に収容できる寸法のプラスチックプレートにてなる台紙プレート４０に、所要の事項を書き込んだ表示カード（表示シート４１）を貼付する。この場合に、表示シート４１が水濡れしないように透明なプラスチックフイルムの袋などに皺が生じないように養生して用いるのが好ましい。こうしておくと、屋外で表示具１を使用しても雨水によって不鮮明になるのを予防できる。【００２７】  台紙プレート４０に表示シート４１を貼着したならば、開放状態にした外包体１１の正面部１２の内側に表示シート４１を付した台紙プレート４０を、表示シート側を正面部１２に沿わせるようにして重ねる。次いで補強板２０を台紙プレート４０の上に重ねるようにする。【００２８】  前記補強板２０には、予め前記固定用バンド３０を使用時の表示具本体１０の向きに応じて、例えば表示具本体１０を横長の状態で使用するとすれば、図３で示されるように、対応する差込み孔２１，２１に固定用バンド３０の基部３１と帯部３２の先端とが組立時の背面側に出るようにして挿通し、中間部が補強板２０の内側に位置するように組み合わせて取付けておく。【００２９】  このように固定用バンド３０を取付けた補強板２０を、先に外包体１１の正面部１２に沿わせておいてある台紙プレート４０に重ね合わせる。その後に、外包体１１の両側閉じ片１３，１３を内向きに閉じ、次いで閉じ受け片１４を内側に閉じる。そして、最後に被せ片１５を重ね合わせて、閉じ受け片１４と被せ片１５との面ファスナ１６でもって固定する。こうすることにより、表示シート４１が台紙プレート４０とともに外包体１１（表示具本体１０）の内部に収容されることになる。なお、使用に際しては、閉じ受け片１４側が下になるように表示シート４１を配して組み立てるのが好ましい。【００３０】  このように組み立てられた本実施形態の表示具１は、図１で示すように、対象となるタイヤＡを起立した状態にして展示している場合、表示具本体１０を正面にして背後に付している固定用バンド３０をタイヤＡの周面から内側へビート部Ａ１、Ａ１を抱え込むようにして巻き付ける。そして、固定用バンド３０の先端部を基部３１の差込み切孔３３（図３参照）に挿通して引き絞り、２か所に設けた係止鋲３４，３４ａのいずれか一方に対応する止め孔３５に係合させて固定する。【００３１】  こうすることにより、表示具本体１０が固定用バンド３０によってタイヤＡに固定されるので、表示具本体１０の正面部１２を外部から視認するのに適した姿勢に保つことで顧客にタイヤＡの仕様や価格を明示することができる。この表示具１によれば、所要事項を記載した表示シート４１が表示具本体１０の外包体１１によって包まれた状態で表示されるので、屋外展示の場合でも雨水によって濡れることなく安定した表示ができるのである。【００３２】  また、新たな展示品にこの表示具１内部の表示シートを取り換える場合には、固定用バンド３０を装着時と逆の操作で帯部３２による固縛を解くと、タイヤＡから簡単に取り外すことができるので、改めて前記要領で別のタイヤＡに取り付けて使用することができる。この表示具１の付け替えに際して、タイヤＡの寸法が異なっても、固定用ベルト３０の止め孔３５を適合する状態で係止鋲３４（３４ａ）と適合する止め孔３５の位置を合わせることにより、前述のように、２つの係止鋲３４，３４ａのいずれかと適合させれば簡単に変更して対応できる。【００３３】  さらに、表示する内容により、縦長に表示したい場合は、表示具本体１０の補強板２０に設けた差込み孔２１を前述の向きと９０度異なる向き（縦向き用の差込み孔２１ａ，２１ａ）に変更して固定用ベルト３０を挿通して使用することにより、目的を達成することができる。【００３４】  またさらに、表示シート４１は表示具本体１０の外包体１１を閉じ合わせ時と逆の操作で開放することにより、台紙プレート４０とともに取り外し、新しい表示シートと交換して再び外包体１１の内部に収容することで簡単に表示内容を交換することができる。【００３５】  前記固定用ベルト３０の他の実施形態としては、図６に示されるように、固定用バンド３０Ａの基端部３１ａに尾錠（固定具３６）を取付け、前記実施形態と同様に表示具本体１０の補強板２０に帯部３２ａの中間を差し込んで連結した状態にし、タイヤＡに巻き付けて帯部の先端部３２ｂを前記固定具３６の掛け止め孔部３６ａに通して掛け止め片３６ｂとで縛るようにし、表示具本体１０をタイヤＡに装着して保持することもできる。なお、前記固定用ベルト３０Ａの基端部３１ａに設ける固定具３６として、例えば図６に示すような固定具３６を取付けて、その固定具３６によって図６（ｂ）および（ｃ）で示すように、固定用ベルト３０Ａの帯部３２ａ中間を固定具３６の掛け止め孔部３６ａと掛けとめ片３６ｂとによって掛け止めて固定するようにしてもよい。【００３６】  以上の説明では起立したタイヤＡに表示具１を装着した状態で説明したが、このような表示具１に表示シートの装着を行った後に、そのタイヤＡを横に倒して積み重ねるようにすれば、積み重ねた状態の展示に際しても採用できる。もちろん、この場合は、横向きにしたときに、表示具本体１０内に収容した表示シート４１が外部から無理なく視認できるように、予め向きを決めておくようにするのが好ましい。【００３７】  次に、図７で示すのは、他の実施形態の表示具１Ａで、表示具本体１０と固定支持部材３０Ａとで構成されており、その表示具本体１０については前記実施形態のものと同様の構成で、固定支持部材３０Ａの形態が異なるものである。したがって、前記実施形態と同一もしくは同様の構造については、前記実施形態のものと同一の符号を付して詳細な説明を省略する。【００３８】  この実施形態の表示具本体１０に対して固定支持部材３０Ａは、前記表示具本体１０におけるプラスチック製の補強板２０Ａと一体に設けられており、この補強板２０Ａにおけるほぼ中央部分に長方形で、一辺を残して他の三辺が切線によって切断された形状にされ、前記連結される一辺を内折り線に沿って切線で囲われる部分を外向きに折り曲げると支持部３８が形成されるようになっている。【００３９】  前記固定支持部材３０Ａとなる部分（３８）は、前記外包体１１の被せ片１５に設けられた長方形の透かし孔１７から外側に突き出されるようにして使用する。【００４０】  この実施形態では表示具本体１０に、前記実施形態で説明した要領で表示シート４１を収容し、内折り線に沿って透かし孔１７から外側に突き出させた固定支持部材３０Ａを、例えば図８で示すように、平積みしたタイヤＡの上下間に生じている間隙に差し込んで保持させることにより、表示具本体１０の正面部１２を前面にして表示させることができ、ごく簡単に使用できるのである。【００４１】  このように、本考案の表示具によれば、展示する物品（タイヤ）に対して簡単に支持させることができ、タイヤの寸法が異なっても自由に支持部で変更できて物品に密接して表示させることができるとともに、外包体を閉じ合わせると表示シートが包み込まれて外部から埃の侵入や雨水による濡れを防止できるので、屋外での展示に際して表示を損なわれず長期間の使用ができる。また、表示具本体の外包体を開くことによって表示カードの差し替えが簡単にできるから、表示する物品が寸法の異なるものに取り換える場合にも即応できるという効果を奏する。なお、本考案の表示具における表示具本体については、表示する物品に応じて外形を方形以外の形状にして使用することも可能である。また、対象物品がタイヤ以外のものでも、固定用バンドの長さ寸法を変更することで物品に巻き付けて保持させることにより目的を達成することができる。したがって、タイヤの展示に使用することに限定されることはない。
【符号の説明】
【００４２】１      表示具
１０    表示具本体
１１    外包体
１２    正面部
１３    閉じ片
１４    閉じ受け片
１５    被せ片
１７    透かし孔
２０    補強板
３０    固定用バンド（固定支持部材）
３０Ａ    固定支持部材
３４，３４ａ    係止鋲
３５    止め孔
４０    台紙プレート
Ａ      タイヤ
【図１】
0003191502.tif 000003
【図２】
0003191502.tif 000004
【図３】
0003191502.tif 000005
【図４】
0003191502.tif 000006
【図５】
0003191502.tif 000007
【図６】
0003191502.tif 000008
【図７】
0003191502.tif 000009
【図８】
0003191502.tif 000010